Podtech/llm-jp-corpus-v4-ja_patent huggingface dataset:
【手続補正書】
【提出日】平成16年2月23日(2004.2.23)
【手続補正１】
【補正対象書類名】明細書
【補正対象項目名】特許請求の範囲
【補正方法】変更
【補正の内容】
【特許請求の範囲】
【請求項１】
１分子あたりセミカルバジド基を平均で４以上有するセミカルバジド組成物。
【請求項２】
非イオン系及び／またはイオン系親水性基（または後に親水性基に転化させうる基）を有し、且つ１分子あたりセミカルバジド基を平均で４以上有する請求項１に記載のセミカルバジド組成物。
【請求項３】
１分子中にイソシアナート基を平均で４個以上有するポリイソシアネート化合物とヒドラジン誘導体を反応させることを特徴とする請求項１記載のセミカルバジド組成物の製造方法。
【請求項４】
１分子中にイソシアナート基を平均で４個以上有するポリイソシアネート化合物と、非イオン系及び／またはイオン系親水性基（または後に親水性基に転化させうる基）を有する活性水素化合物とから得られるポリイソシアネート化合物に、ヒドラジン誘導体を反応させることを特徴とする請求項２記載のセミカルバジド組成物の製造方法。
【請求項５】
１分子中にセミカルバジド基を平均で４個以上有するセミカルバジド組成物と、非イオン及び／またはイオン性親水性基（または後に親水性基に転化させうる基）とともにセミカルバジド基と反応・結合する基を有する化合物とを反応させることを特徴とする請求項２記載のセミカルバジド組成物の製造方法。
【請求項６】
非イオン及び／またはイオン性親水性基（または後に親水性基に転化させうる基）とともにセミカルバジド基と反応・結合する基を有する化合物が、エポキシカルボン酸類、オキソカルボン酸類、酸無水物から選ばれる少なくとも１つであることを特徴とする請求項５記載の製造方法。
【請求項７】
１分子中にイソシアナート基を平均で４個以上有するポリイソシアネート化合物が、ジイソシアネート化合物をビュレット結合、尿素結合、イソシアヌレート結合、ウレタン結合、アロファネート結合、ウレトジオン結合からなる群から選ばれる少なくとも２種以上の結合の組み合わせによりオリゴマー化されたポリイソシアネート化合物であることを特徴とする請求項３または４に記載の製造方法。
【請求項８】
請求項１または２記載のセミカルバジド組成物と、下記式（１）で表されるモノケトン類とを反応させて得られるセミカルバゾン誘導体。
Ｒ2 Ｒ3 Ｃ＝Ｏ                （１）
（式中、Ｒ2 、Ｒ3 は各々、水素原子、直鎖状もしくは分岐状の２〜２０個の炭素原子を有する脂肪族残基、５〜２０個の炭素原子を有する脂環族残基、置換基を有しても有さなくても良い芳香族残基、から選ばれた少なくとも１つを表す。また、Ｒ2 、Ｒ3 は環状構造を形成しても良い。）
【請求項９】
請求項１または２記載のセミカルバジド組成物（Ａ）及び／または請求項８記載のセミカルバゾン誘導体（Ｂ）と、ポリカルボニル化合物（Ｃ）を含んでなり、その固形分重量比が（Ｃ）／（（Ａ）＋（Ｂ））＝９９．９／０．１〜１０／９０である被覆組成物。
【請求項１０】
ポリカルボニル化合物（Ｃ）が、カルボニル基含有エチレン性不飽和単量体（イ）と、該単量体（イ）と共重合可能なエチレン性不飽和単量体（ロ）とを共重合することによって得られるカルボニル基を含有する共重合体であることを特徴とする請求項９記載の被覆組成物。
【請求項１１】
カルボニル基含有エチレン性不飽和単量体単量体（イ）が、ダイアセトンアクリルアミド、ダイアセトンメタクリルアミド、アクロレイン、ビニルメチルケトン、アセトアセトキシエチルメタクリレート、アセトアセトキシエチルアクリレート、ホルミルスチロールからなる群から選ばれる少なくとも１種であることを特徴とする請求項１０に記載の被覆組成物。
【請求項１２】
請求項１または２記載のセミカルバジド組成物（Ａ）及び／または請求項８記載のセミカルバゾン誘導体（Ｂ）と、ポリカルボニル化合物（Ｃ）、及びポリエポキシ化合物（Ｄ)を含んでなり、その固形分重量比が（Ｃ）／（（Ａ）＋（Ｂ））＝９９．９／０．１〜１０／９０であり、（Ｃ)／（Ｄ）≧１０／９０であることを特徴とする被覆組成物。
【手続補正書】
【提出日】平成16年2月4日(2004.2.4)
【手続補正１】
【補正対象書類名】明細書
【補正対象項目名】特許請求の範囲
【補正方法】変更
【補正の内容】
【特許請求の範囲】
【請求項１】
α−シアノアクリレート系接着剤を用いて難接着材料を接着するに際し、ピペリジン骨格を有するヒンダードアミン系化合物を０．０００１〜１０重量％含有する難接着材料を用いることを特徴とする難接着材料の接着方法。
【手続補正書】
【提出日】平成16年11月25日(2004.11.25)
【手続補正１】
【補正対象書類名】明細書
【補正対象項目名】特許請求の範囲
【補正方法】変更
【補正の内容】
【特許請求の範囲】
【請求項１】
水溶性有機物質の粒粉物と水溶性有機物質の液状物との混合物を加えて均一混合した室温加硫型シリコーンゴムを、注型して硬化成形したのち、成形体を水に浸漬して、水溶性有機物質の粒粉物と水溶性有機物質の液状物とを流出させ、乾燥して連続多孔質成形体とする人工乳房であって、乳房表面層は細径の連続多孔質成形体で形成し、乳房内層は太径の連続多孔質成形体で形成したことを特徴とする人工乳房。
【請求項２】
水溶性有機物質の粒粉物と水溶性有機物質の液状物との混合物を加えて均一混合した室温加硫型シリコーンゴムを、注型して硬化成形したのち、成形体を水に浸漬して、水溶性有機物質の粒粉物と水溶性有機物質の液状物とを流出させ、乾燥して連続多孔質成形体とする人工乳房であって、乳房表面層は細径の連続多孔質成形体で形成し、乳房内層は太径の連続多孔質成形体で形成し、乳房底面層は細径乃至太径の連続多孔質成形体で形成したことを特徴とする人工乳房。
【請求項３】
水溶性有機物質の粒粉物と水溶性有機物質の液状物との混合物を加えて均一混合した室温加硫型シリコーンゴムを、注型して硬化成形したのち、成形体を水に浸漬して、水溶性有機物質の粒粉物と水溶性有機物質の液状物とを流出させ、乾燥して連続多孔質成形体とする人工乳房であって、乳房表面層は細径の連続多孔質成形体で形成し、乳房内層は太径の連続多孔質成形体で形成し、乳房底面層は細径乃至太径の連続多孔質成形体で形成すると共に、乳房表面層の乳頭部附近の内面から乳房底面層の中央附近内面に連結するように立設した、細径乃至太径の連続多孔質の柱状成形体を形成したことを特徴とする人工乳房。
【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
人体の脈波を計測する脈波計測手段と、該脈波計測手段から出力された脈波の波形を２次微分して加速度脈波を算出する加速度脈波算出手段と、該加速度脈波算出手段で算出された加速度脈波の出力波形から平均波形を算出する平均波形算出手段とを備えた脈波計測・解析装置であって、該平均波形算出手段は、容積脈波の極小点と波高値から脈波波形の基線の安定な期間の一拍毎の個々の脈波である個別脈波を切り出し、容積脈波開始点を求める手段と、該切り出した個別脈波から標準加速度脈波を求める手段と、得られた該標準加速度脈波から個別加速度脈波を検出する手段と、該個別加速度脈波の波形のａ波のピーク点とｅ波のピーク点とのａ−ｅ間隔の頻度分布に基づいて加速度脈波の平均波形を求める手段とを備えていることを特徴とする脈波計測・解析装置。
【請求項２】
前記平均波形算出手段は、容積脈波の脈波波形の基線が安定していない期間においては、基線の安定した期間で切り出した個別脈波から暫定的な加速度脈波の平均波形(標準加速度脈波)を求め、この標準加速度脈波のａ波と、該安定していない期間で求められた測定加速度脈波の連続波形の極大値との時間位置を合わせて類似度を求め、個別加速度脈波のａ波のピーク点の位置を決定する手段を有していることを特徴とする請求項１記載の脈波計測・解析装置。
【請求項３】
前記加速度脈波の平均波形を求める手段が、ａ波のピーク点とｅ波のピーク点とのａ−ｅ間隔の頻度分布を求め、頻度の高いものの平均波形を求めて、提示するように構成されていることを特徴とする請求項１又は２に記載の脈波計測・解析装置。
【請求項４】
前記脈波計測手段から出力された脈波の波形を２次微分して加速度脈波を算出する加速度脈波算出手段が、脈波センサから出力された脈波の脈波信号を濾波して出力するフィルター手段を有し、該フィルター手段が、遮断周波数２０〜３０Ｈｚの１次又は２次のローパスフィルターであるアナログフィルターと、遮断周波数１５〜４０Ｈｚの初段のデジタルローパスフィルターと、遮断周波数１５〜４０Ｈｚの後段の高域カットデシタル微分フィルターとで構成されており、該初段のデジタルローパスフィルターにおいて、商用電源周波数５０Ｈｚ又は６０Ｈｚの一方での応答が零点付近になるように構成すると共に、該後段の高域カットデジタル微分フィルターにおいて、該商用電源周波数の他方での応答が零点付近となるように構成することを特徴とする請求項１〜３のいずれかに記載の脈波計測・解析装置。
【請求項５】
前記初段のデジタルローパスフィルターにおいて、商用電源周波数５０Ｈｚ又は６０Ｈｚの一方での応答が零点付近になるように構成する場合、減衰率の極大値が８０ｄＢ以上となるように構成すると共に、前記後段の高域カットデジタル微分フィルターにおいて、該商用電源周波数の他方での応答が零点付近になるように構成する場合、減衰率の極大値が４０ｄＢ以上となるように構成することを特徴とする請求項４記載の脈波計測・解析装置。
【手続補正書】
【提出日】平成17年5月26日(2005.5.26)
【手続補正１】
【補正対象書類名】明細書
【補正対象項目名】特許請求の範囲
【補正方法】変更
【補正の内容】
【特許請求の範囲】
【請求項１】
ゲーム画面上で、それぞれに特殊技を有する複数の格闘キャラクターを互いに対戦させる際、当該ゲーム画面上に登場する格闘キャラクターの特殊技を繰り出せる状態に近づいていることを示すパワーゲージを当該格闘キャラクターの登場位置に関連した状態で表示し、当該パワーゲージが予め定める値以上になっていることを条件として、プレイヤーにより操作される格闘キャラクターの特殊技の繰り出しを許容するように設定されているものであって、
上記ゲーム画面の表示状態に変化を与えて、プレイヤーにより操作される格闘キャラクターの特殊技を繰り出すタイミングであることを、当該プレイヤーに対して、報知するタイミング報知手段と、
このタイミング報知手段によるタイミング報知に同期させて、プレイヤーにより操作される格闘キャラクターの特殊技を繰り出すための操作手順を、当該プレイヤーに対して、報知する操作手順報知手段とを含むことを特徴とするゲーム機。
【請求項２】
上記操作手順報知手段は、上記パワーゲージに関連付けた状態で、上記操作手順に則した入力コマンドを表示し、上記格闘キャラクターの特殊技を繰り出すための入力操作に成功したコマンドの表示状態を変化させることを特徴とする請求項１に記載のゲーム機。
【請求項３】
上記入力コマンドは、上記操作手順を特定する操作内容を示す識別記号の組み合わせで構成されており、
上記操作手順報知手段は、実際に上記格闘キャラクターの特殊技を繰り出した際の入力操作が当該操作内容に一致した場合には、一致した識別記号の表示状態を変化させることを特徴とする請求項２に記載のゲーム機。
【請求項４】
上記一致した識別記号の表示状態を変化させる手段は、その表示色を変える若しくはその表示を消すものであることを特徴とする請求項３に記載のゲーム機。
【請求項５】
上記タイミング報知手段は、上記特殊技を繰り出すタイミングが到来したことを、上記ゲーム画面上に吹き出し表示することによって報知することを特徴とする請求項１乃至４の何れか１項に記載のゲーム機。
【請求項６】
上記タイミング報知手段は、上記特殊技を繰り出すタイミングが到来したことを、上記ゲーム画面上に特殊キャラクターを登場させることによって報知することを特徴とする請求項１乃至４の何れか１項に記載のゲーム機。
【請求項７】
ゲーム画面上で、それぞれに特殊技を有する複数の格闘キャラクターを互いに対戦させる際、当該ゲーム画面上に登場する格闘キャラクターの特殊技を繰り出せる状態に近づいていることを示すパワーゲージを当該格闘キャラクターの登場位置に関連した状態で表示し、当該パワーゲージが予め定める値以上になっていることを条件として、プレイヤーにより操作される格闘キャラクターの特殊技の繰り出しを許容するようにゲームを実行させるためのものであって、
上記ゲーム画面の表示状態に変化を与えて、プレイヤーにより操作される格闘キャラクターの特殊技を繰り出すタイミングであることを、当該プレイヤーに対して、報知するタイミング報知プログラムと、
このタイミング報知プログラムによるタイミング報知に同期させて、プレイヤーにより操作される格闘キャラクターの特殊技を繰り出すための操作手順を、当該プレイヤーに対して、報知する操作手順報知プログラムとを含むことを特徴とするゲームプログラム。
【請求項８】
上記操作手順報知プログラムは、上記パワーゲージに関連付けた状態で、上記操作手順に則した入力コマンドを表示し、上記格闘キャラクターの特殊技を繰り出すための入力操作に成功したコマンドの表示状態を変化させることを特徴とする請求項７に記載のゲームプログラム。
【請求項９】
上記入力コマンドは、上記操作手順を特定する操作内容を示す識別記号の組み合わせで構成されており、
上記操作手順報知プログラムは、実際に上記格闘キャラクターの特殊技を繰り出した際の入力操作が当該操作内容に一致した場合には、一致した識別記号の表示状態を変化させることを特徴とする請求項８に記載のゲームプログラム。
【請求項１０】
上記一致した識別記号の表示状態を変化させるプログラムは、その表示色を変える若しくはその表示を消すものであることを特徴とする請求項９に記載のゲームプログラム。
【請求項１１】
上記タイミング報知プログラムは、上記特殊技を繰り出すタイミングが到来したことを、上記ゲーム画面上に吹き出し表示することによって報知することを特徴とする請求項７乃至１０の何れか１項に記載のゲームプログラム。
【請求項１２】
上記タイミング報知プログラムは、上記特殊技を繰り出すタイミングが到来したことを、上記ゲーム画面上に特殊キャラクターを登場させることによって報知することを特徴とする請求項７乃至１０の何れか１項に記載のゲームプログラム。
【手続補正２】
【補正対象書類名】明細書
【補正対象項目名】００１３
【補正方法】変更
【補正の内容】
【００１３】
【課題を解決するための手段】
上記目的を達成するため、本発明に係るゲーム機は、ゲーム画面上で、それぞれに特殊技を有する複数の格闘キャラクターを互いに対戦させる際、当該ゲーム画面上に登場する格闘キャラクターの特殊技を繰り出せる状態に近づいていることを示すパワーゲージを当該格闘キャラクターの登場位置に関連した状態で表示し、当該パワーゲージが予め定める値以上になっていることを条件として、プレイヤーにより操作される格闘キャラクターの特殊技の繰り出しを許容するように設定されているものであって、上記ゲーム画面の表示状態に変化を与えて、プレイヤーにより操作される格闘キャラクターの特殊技を繰り出すタイミングであることを、当該プレイヤーに対して、報知するタイミング報知手段と、このタイミング報知手段によるタイミング報知に同期させて、プレイヤーにより操作される格闘キャラクターの特殊技を繰り出すための操作手順を、当該プレイヤーに対して、報知する操作手順報知手段とを含む。
【手続補正３】
【補正対象書類名】明細書
【補正対象項目名】００４１
【補正方法】変更
【補正の内容】
【００４１】
本発明に係るゲームプログラムは、ゲーム画面上で、それぞれに特殊技を有する複数の格闘キャラクターを互いに対戦させる際、当該ゲーム画面上に登場する格闘キャラクターの特殊技を繰り出せる状態に近づいていることを示すパワーゲージを当該格闘キャラクターの登場位置に関連した状態で表示し、当該パワーゲージが予め定める値以上になっていることを条件として、プレイヤーにより操作される格闘キャラクターの特殊技の繰り出しを許容するようにゲームを実行させるためのものであって、上記ゲーム画面の表示状態に変化を与えて、プレイヤーにより操作される格闘キャラクターの特殊技を繰り出すタイミングであることを、当該プレイヤーに対して、報知するタイミング報知プログラムと、このタイミング報知プログラムによるタイミング報知に同期させて、プレイヤーにより操作される格闘キャラクターの特殊技を繰り出すための操作手順を、当該プレイヤーに対して、報知する操作手順報知プログラムとを含む。
【手続補正書】
【提出日】平成17年5月23日(2005.5.23)
【手続補正１】
【補正対象書類名】明細書
【補正対象項目名】発明の名称
【補正方法】変更
【補正の内容】
【発明の名称】マルチスライス放射線ＣＴ装置
【手続補正２】
【補正対象書類名】明細書
【補正対象項目名】特許請求の範囲
【補正方法】変更
【補正の内容】
【特許請求の範囲】
【請求項１】
被検体に放射線を照射する複数の放射線源と、前記被検体を挟み前記放射線源と対向配置され、かつ前記被検体の体軸方向に複数列配置され前記被検体の透過放射線を検出するマルチスライス型検出器と、前記複数の放射線源とマルチスライス型検出器とを前記被検体の周囲を回転させる回転駆動部と、この回転駆動部によって回転された前記複数の放射線源とマルチスライス型検出器により前記被検体の投影データを計測する計測手段と、この計測手段の出力から前記被検体の断層像画像を再構成する画像再構成部と、この画像再構成部によって再構成された断層像画像を表示する画像表示部と、を備えたマルチスライス放射線ＣＴ装置において、前記画像再構成部は、前記複数のマルチスライス型検出器のうちの一つを用いて前記計測手段によって収集された投影データの対向位置の投影データを、前記マルチスライス型検出器と異なるマルチスライス型検出器の投影データで補間し、その補間された投影データを用いて前記被検体の断層像画像を再構成することを特徴とするマルチスライス放射線ＣＴ装置。
【請求項２】
前記画像再構成部は、重み付けらせん補正再構成時に同一スライス位置の異なるマルチスライス型検出器により得られた各投影データを組み合わせて前記被検体の断層像画像を再構成することを特徴とする請求項１に記載のマルチスライス放射線ＣＴ装置。
【手続補正３】
【補正対象書類名】明細書
【補正対象項目名】０００１
【補正方法】変更
【補正の内容】
【０００１】
本発明は、被検体の断層像画像を取得する多管球マルチスライスＸ線ＣＴ（Ｃｏｍｐｕｔｅｄ  Ｔｏｍｏｇｒａｐｈｙ）装置等のマルチスライス放射線ＣＴ装置に関するものである。
【手続補正４】
【補正対象書類名】明細書
【補正対象項目名】０００７
【補正方法】変更
【補正の内容】
【０００７】
そこで、より時間分解能の優れたマルチスライス放射線ＣＴ装置を、提供することを目的とする。
【手続補正５】
【補正対象書類名】明細書
【補正対象項目名】０００８
【補正方法】変更
【補正の内容】
【０００８】
【課題を解決するための手段】
前記の目的を実現するために、本発明においては、特許請求の範囲に記載するように構成している。すなわち、本発明は、請求項１に記載のように、
被検体に放射線を照射する複数の放射線源と、前記被検体を挟み前記放射線源と対向配置され、かつ前記被検体の体軸方向に複数列配置され前記被検体の透過放射線を検出するマルチスライス型検出器と、前記複数の放射線源とマルチスライス型検出器とを前記被検体の周囲を回転させる回転駆動部と、この回転駆動部によって回転された前記複数の放射線源とマルチスライス型検出器により前記被検体の投影データを計測する計測手段と、この計測手段の出力から前記被検体の断層像画像を再構成する画像再構成部と、この画像再構成部によって再構成された断層像画像を表示する画像表示部と、を備えたマルチスライス放射線ＣＴ装置において、前記画像再構成部は、前記複数のマルチスライス型検出器のうちの一つを用いて前記計測手段によって収集された投影データの対向位置の投影データを、前記マルチスライス型検出器と異なるマルチスライス型検出器の投影データで補間し、その補間された投影データを用いて前記被検体の断層像画像を再構成することを特徴とするマルチスライス放射線ＣＴ装置を構成する。
【手続補正６】
【補正対象書類名】明細書
【補正対象項目名】０００９
【補正方法】変更
【補正の内容】
【０００９】
また、本発明は、請求項２に記載のように、
請求項１に記載のマルチスライス放射線ＣＴ装置において、前記画像再構成部は、重み付けらせん補正再構成時に同一スライス位置の異なるマルチスライス型検出器により得られた各投影データを組み合わせて前記被検体の断層像画像を再構成することを特徴とするマルチスライス放射線ＣＴ装置を構成する。
【手続補正７】
【補正対象書類名】明細書
【補正対象項目名】００４９
【補正方法】変更
【補正の内容】
【００４９】
【発明の効果】
本発明の実施によって得られる効果を説明する。
【手続補正８】
【補正対象書類名】明細書
【補正対象項目名】００５０
【補正方法】変更
【補正の内容】
【００５０】
まず、本発明においては、マルチスライス型検出器による、対向位置の投影データを実データで代用することにより、時間分解能は向上する。
【手続補正９】
【補正対象書類名】明細書
【補正対象項目名】００５１
【補正方法】変更
【補正の内容】
【００５１】
また、本発明においては、重み付けらせん補正再構成する時に、同じスライス位置における、異なる位相の単位データの組み合わせを適用して、再構成データを作成することにより、アーチファクト低減することができ、より高画質な画像を得ることができる。
【手続補正書】
【提出日】平成17年10月7日(2005.10.7)
【手続補正１】
【補正対象書類名】明細書
【補正対象項目名】００５８
【補正方法】変更
【補正の内容】
【００５８】
本発明の棒状化粧材繰出容器は、最小の部材で構成され、芯チャック部材３０の竿体３５の螺旋部３６が多条螺旋３７であることを一つの特徴としているが、さらに、過剰回動における保護機能を有することもその特徴としている。
【手続補正２】
【補正対象書類名】明細書
【補正対象項目名】００６５
【補正方法】変更
【補正の内容】
【００６５】
本実施例は、本体筒２０の弾性的螺合が可能な係合突起２３に対して芯チャック部材３０側は、図４に示されるような凹凸の規則正しい３条以上の多条螺旋という手段を取ったため、簡単に螺合離脱と螺合復帰が行えることを特徴としている。
【手続補正３】
【補正対象書類名】明細書
【補正対象項目名】００６６
【補正方法】変更
【補正の内容】
【００６６】
そのため、本実施例においては繰上上昇限を、芯チャック部材３０の回転止め突起３４と摺動溝前端部１２ａとの当接をもって繰上上昇限としたが、芯チャック部材３０の円筒部３３の円筒部前端面３３ａを先筒１０内に当接させてもよく、特別な上昇限の設定をする必要がなく、芯チャック部材３０の多条螺旋３７と、本体筒２０の係合突起２３との螺合離脱と螺合復帰は棒状化粧材Ａを損傷することなく容易に行われる。
【手続補正４】
【補正対象書類名】明細書
【補正対象項目名】００７８
【補正方法】変更
【補正の内容】
【００７８】
第２実施例では、芯チャック部材１３０の竿体１３５の螺旋部１３６をローレット状多条螺旋１３７ａとするとともに、これに螺合する先筒１１０と同期に回動する係合部材１４０を弾性体で形成して、この貫通孔１４１を前記竿体１３５より小径としてローレット状多条螺旋１３７ａの圧力で出来る貫通孔１４１の円周面１４３に刻まれる螺条を利用して螺合機構をしたため、芯チャック部材１３０の螺旋部１３６は３条や４条の多条螺旋より、最も有効なローレット状多条螺旋を用いているものである。
【手続補正５】
【補正対象書類名】明細書
【補正対象項目名】符号の説明
【補正方法】変更
【補正の内容】
【符号の説明】
１・・・・  棒状化粧材繰出容器
Ａ・・・・  棒状化粧材
１０・・・  先筒
１１・・・  先端開口孔
１２・・・  摺動溝
１２ａ・・  摺動溝前端部
１３・・・  凹部
１４・・・  内周面
２０・・・  本体筒
２０ａ・・  本体筒
２１・・・  前端開口孔
２２・・・  竿体摺動溝
２３・・・  係合突起
２３ａ・・  係合突起
２４・・・  スリット
２５・・・  凸部
２６・・・  摺動突起
２７・・・  先筒嵌入部
２８・・・  摘み部
３０・・・  芯チャック部材
３１・・・  化粧材保持部
３２・・・  腔部
３３・・・  円筒部
３３ａ・・  円筒部前端面
３４・・・  回転止め突起
３５・・・  竿体
３５ａ・・  中心軸
３６・・・  螺旋部
３７・・・  多条螺旋
１０１・・  棒状化粧材繰出容器
Ｂ・・・・  棒状化粧材
１１０・・  先筒
１１１・・  先端開口孔
１１３・・  凹部
１１５・・  縦リブ
１１６・・  段部
１２０・・  本体筒
１２５・・  凸部
１２９・・  回転止め竿
１２９ａ・  縦リブ
１３０・・  芯チャック部材
１３１・・  化粧材保持部
１３３・・  円筒部
１３５・・  竿体
１３６・・  螺旋部
１３７ａ・  ローレット状多条螺旋
１３８・・  腔部
１３９・・  スプライン係合部
１４０・・  係合部材（弾性体）
１４１・・  貫通孔
１４２・・  縦リブ
１４３・・  内周面
【手続補正書】
【提出日】平成17年8月2日(2005.8.2)
【手続補正１】
【補正対象書類名】明細書
【補正対象項目名】００１３
【補正方法】変更
【補正の内容】
【００１３】  胡麻粒と油層の重量比は特に限定されないが、例えば、胡麻粒：油層の比率としては、１：１〜１：１０が挙げられる。特に１：２〜１：５程度が好ましい。好ましい比率では、胡麻粒と油層の均一混合が容易で、攪拌時の胡麻粒の損傷を抑えるという効果がある。胡麻粒として、割砕したもの、例えば「切り胡麻」または「すり胡麻」を、一部または全部として使用することにより、油層の均一な混合が促進されるという効果が得られる。
【手続補正２】
【補正対象書類名】明細書
【補正対象項目名】００２３
【補正方法】変更
【補正の内容】
【００２３】２．本発明の分離液状調味料２の調製  本発明の分離液状調味料２として、水層成分としてさらに市販の増粘剤０．２ｇを使用し、上記１．と同様の方法にて本発明の分離液状調味料２を調製した。３．比較例の調製  １．配合成分  ・醤油５００ｇ  ・砂糖３００ｇ  ・おろしリンゴ１００ｇ  ・おろしニンニク１５ｇ  ・食酢１０ｇ  ・香辛料２ｇ  ・煎り胡麻粒（全粒）２０ｇ  ・ごま油５０ｇ  ・増粘剤１ｇ  上記を攪拌しながら混合して、８５℃で１０分間加熱し７５度まで冷却した。１．０ｌ容のビン容器に、全量を注ぎ入れ、容器にキャップをした後、３５度まで水冷した。これを比較例の分離液状調味料とした。
【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】
配列番号：１または配列番号：２３で表されるアミノ酸配列と同一もしくは実質的に同一のアミノ酸配列を含有するタンパク質またはその塩。
【請求項２】
配列番号：１で表されるアミノ酸配列からなるタンパク質またはその塩。
【請求項３】
配列番号：２３で表されるアミノ酸配列からなるタンパク質またはその塩。
【請求項４】
請求項１記載のタンパク質の部分ペプチドまたはその塩。
【請求項５】
請求項１記載のタンパク質または請求項４記載の部分ペプチドをコードするポリヌクレオチドを含有するポリヌクレオチド。
【請求項６】
ＤＮＡである請求項５記載のポリヌクレオチド。
【請求項７】
配列番号：２または配列番号：２２で表される塩基配列からなるポリヌクレオチド。
【請求項８】
配列番号：２４または配列番号：３６で表される塩基配列からなるポリヌクレオチド。
【請求項９】
請求項５記載のポリヌクレオチドを含有する組換えベクター。
【請求項１０】
請求項９記載の組換えベクターで形質転換された形質転換体。
【請求項１１】
請求項１０記載の形質転換体を培養し、請求項１記載のタンパク質または請求項４記載の部分ペプチドを生成、蓄積せしめ、これを採取することを特徴とする請求項１記載のタンパク質もしくは請求項４記載の部分ペプチドまたはその塩の製造法。
【請求項１２】
請求項１記載のタンパク質もしくは請求項４記載の部分ペプチドまたはその塩を含有してなる医薬。
【請求項１３】
請求項５記載のポリヌクレオチドを含有してなる医薬。
【請求項１４】
請求項５記載のポリヌクレオチドを含有してなる診断薬。
【請求項１５】
請求項１記載のタンパク質もしくは請求項４記載の部分ペプチドまたはその塩に対する抗体。
【請求項１６】
請求項１５記載の抗体を含有してなる医薬。
【請求項１７】
請求項１５記載の抗体を含有してなる診断薬。
【請求項１８】
請求項５記載のポリヌクレオチドに相補的または実質的に相補的な塩基配列またはその一部を含有するポリヌクレオチド。
【請求項１９】
請求項１８記載のポリヌクレオチドを含有してなる医薬。
【請求項２０】
請求項１記載のタンパク質もしくは請求項４記載の部分ペプチドまたはその塩を用いることを特徴とする、請求項１記載のタンパク質もしくは請求項４記載の部分ペプチドまたはその塩の活性を促進または阻害する化合物またはその塩のスクリーニング方法。
【請求項２１】
請求項１記載のタンパク質もしくは請求項４記載の部分ペプチドまたはその塩を含有してなる、請求項１記載のタンパク質もしくは請求項４記載の部分ペプチドまたはその塩の活性を促進または阻害する化合物またはその塩のスクリーニング用キット。
【請求項２２】
請求項５記載のポリヌクレオチドを用いることを特徴とする、請求項１記載のタンパク質遺伝子の発現を促進または阻害する化合物またはその塩のスクリーニング方法。
【請求項２３】
請求項５記載のポリヌクレオチドを含有してなる、請求項１記載のタンパク質遺伝子の発現を促進または阻害する化合物またはその塩のスクリーニング用キット。
【請求項２４】
請求項１５記載の抗体を用いることを特徴とする請求項１記載のタンパク質の定量方法。【請求項２５】
請求項２４記載の定量方法を用いることを特徴とする請求項１記載のタンパク質の機能が関連する疾患の診断法。
【請求項２６】
請求項１５記載の抗体を用いることを特徴とする、請求項１記載のタンパク質の発現を促進または阻害する化合物またはその塩のスクリーニング方法。
【請求項２７】
請求項１５記載の抗体を含有してなる、請求項１記載のタンパク質の発現を促進または阻害する化合物またはその塩のスクリーニング用キット。
【請求項２８】
肝臓疾患、前立腺疾患、脾臓疾患、腎臓疾患、代謝疾患、循環器疾患もしくは癌の予防・治療剤または老化の予防・抑制剤である請求項１３、請求項１６または請求項１９記載の医薬。
【請求項２９】
肝臓疾患、前立腺疾患、脾臓疾患、腎臓疾患、代謝疾患、循環器疾患または癌の診断薬である請求項１４または請求項１７記載の診断薬。
【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】
Ｌ−リジン塩水溶液に、Ｌ−リジン脱炭酸酵素を作用させ、反応液からカダベリンを単離するカダベリンの製造方法であって、Ｌ−リジン脱炭酸酵素が、Ｎ末端アミノ酸配列に１から３０個のアミノ酸を付与した組換えＬ−リジン脱炭酸酵素であることを特徴とするカダベリンの製造方法。
【請求項２】
Ｌ−リジン脱炭酸酵素が、Ｎ末端アミノ酸配列に６から１０個のヒスチジン残基を付与した組換えＬ−リジン脱炭酸酵素であることを特徴とする請求項１に記載のカダベリンの製造方法。
【請求項３】
反応後の反応液をアルカリでｐＨ１２から１４にし、極性有機溶媒でカダベリンを抽出することを特徴とする請求項１または２のいずれかに記載のカダベリンの製造方法。
【請求項４】
アルカリが、水酸化ナトリウム、水酸化カリウム、水酸化カルシウムのいずれかであることを特徴とする請求項３に記載のカダベリンの製造方法。
【請求項５】
極性有機溶媒がアニリン、シクロヘキサノン、１−オクタノール、イソブチルアルコール、シクロヘキサノール、クロロホルムのいずれかであることを特徴とする請求項３に記載のカダベリンの製造方法。
【請求項６】
２，３，４，５−テトラヒドロピリジンの含有量が１．４ｗｔ％以下のカダベリン。
【請求項７】
トリ−ｎ−ブチルアミンの含有量が０．００６ｗｔ％以下のカダベリン。
【請求項８】
２，３，４，５−テトラヒドロピリジンの含有量が１．４ｗｔ％以下かつトリ−ｎ−ブチルアミンの含有量が０．００６％以下のカダベリン。
【請求項９】
請求項１から５のいずれか１項記載の方法で得られるカダベリンもしくは請求項６から８のいずれか１項記載のカダベリンを原料として含有するポリアミド。
【手続補正２】
【補正対象書類名】明細書
【補正対象項目名】００１３
【補正方法】変更
【補正の内容】
【００１３】
すなわち、本発明は、「（１）Ｌ−リジン塩水溶液に、Ｌ−リジン脱炭酸酵素を作用させ、反応液からカダベリンを単離し、Ｌ−リジン脱炭酸酵素が、Ｎ末端アミノ酸配列に１から３０個のアミノ酸を付与した組換えＬ−リジン脱炭酸酵素であることを特徴とするカダベリンの製造方法。
（２）２，３，４，５−テトラヒドロピリジンの含有量が１．４ｗｔ％以下のカダベリン。
（３）トリ−ｎ−ブチルアミンの含有量が０．００６ｗｔ％以下のカダベリン。
（４）上記（１）の方法で得られたカダベリンまたは上記（２）あるいは（３）記載のカダベリンを原料として含有するポリアミド。」である。
【手続補正書】
【提出日】平成16年6月3日(2004.6.3)
【手続補正１】
【補正対象書類名】明細書
【補正対象項目名】００４６
【補正方法】変更
【補正の内容】
【００４６】
したがって、本発明では、ＳＨＰ１遺伝子の発現を、遺伝子ＤＮＡの修飾とｍＲＮＡと蛋白質と対立遺伝子の喪失という最大で四重のマーカーを用いて判定できることになる。すなわち、ＳＨＰ１遺伝子の発現低下という一つの造血器腫瘍細胞特異的な現象を４段階で確認することができるため、非常に高い特異性で造血器腫瘍細胞を検出することができる。
【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】
被検体が配置され、前後左右上下に移動可能な寝台と、被検体の撮像位置から所定距離離れた位置を照射する投光器と、上記寝台及び投光器の動作を制御する制御手段とを有する寝台移動装置を備え、上記被検体の画像を撮像する医用画像診断装置において、
上記寝台移動装置は、
上記寝台の上昇限界位置への移動と、上記投光器の点灯と、上記寝台の前進限界位置への移動とを上記制御手段に指令する一つの第１操作スイッチと、
上記寝台の後退限界位置までの移動と、上記投光器の消灯と、上記寝台の左右移動可能範囲の中心位置への移動とを上記制御手段に指令する一つの第２操作スイッチと、
を備えることを特微とする医用画像診断装置。
【請求項２】
請求項１記載の医用画像診断装置において、上記制御手段は、第１操作スイッチが連続してオン状態となっている期間に、上記寝台の上昇限界位置への移動、上記投光器の点灯、上記寝台の前進限界位置への移動を連続して行うことを特徴とする医用画像診断装置。
【請求項３】
請求項１又は２記載の医用画像診断装置において、上記第１操作スイッチの、上記寝台の前進限界位置への移動指令を、上記寝台の所定距離移動指令に切り替える第３操作スイッチを備えることを特徴とする医用画像診断装置。
【請求項４】
請求項１又は２記載の医用画像診断装置において、上記制御手段は、上記第１操作スイッチが一定時間内にオンオフ操作が二度繰り返したとき、上記寝台の前進限界位置への移動指令を、上記寝台の所定距離移動指令に切り替えることを特徴とする医用画像診断装置
【請求項５】
請求項１又は２記載の医用画像診断装置において、上記制御手段は、上記寝台の前進限界位置への移動開始から、所定時間、上記第１操作スイッチが連続してオン状態であるときには、上記寝台の前進移動速度を切り替えることを特徴とする医用画像診断装置。
【請求項６】
請求項５記載の医用画像診断装置において、上記制御手段は、上記寝台の後退限界までへの移動開始から、所定時間、上記第２操作スイッチが連続してオン状態であるときには、上記寝台の後退移動速度を切り替えることを特徴とする医用画像診断装置。
【請求項７】
被検体が配置され、前後左右上下に移動可能な寝台と、連続してオン状態の期間、寝台の前後左右上下の各方向への移動を指令する複数の操作ボタンを備える医用画像診断装置において、
上記複数の操作ボタンのうち、１つの操作ボタンが連続してオン状態となり、この１つの操作ボタンが指令する寝台の移動方向への移動中に、この移動中の方向と逆方向への移動を指令する操作ボタンがオン状態となったときには、移動速度を減速させることを特徴とする医用画像診断装置。
【請求項８】
請求項７記載の医用画像診断装置において、上記複数の操作ボタンのうち、１つの操作ボタンが連続してオン状態となり、この１つの操作ボタンが指令する寝台の移動方向への移動中に、この移動中の方向と逆方向への移動を指令する操作ボタンがオン状態となったとき、移動速度を減速させ、その後、上記逆方向への移動を指令する操作ボタンがオフ状態となったときは、上記移動速度を減速前の速度に切り替えることを特徴とする医用画像診断装置。
【請求項９】
請求項１から８のうちのいずれか一項記載の医用画像診断装置において、この用画像診断装置は、磁場発生手段と、高周波送受信手段と、画像処理手段とを備える磁気共鳴イメージング装置であることを特徴とする医用画像診断装置。
【請求項１０】
請求項１から８のうちのいずれか一項記載の医用画像診断装置において、この用画像診断装置は、Ｘ線ＣＴ装置であることを特徴とする医用画像診断装置。
【請求項１１】
請求項９記載の医用画像診断装置において、上記磁気共鳴イメージング装置は、上下方向に撮影空間を間にして互いに対向する上側及び下側磁場発生手段と、上側磁場発生手段を下側磁場発生手段に対して支持する支柱と、上記寝台の左右方向への移動を指令する操作ボタンとを備えることを特徴とする医用画像診断装置。
【手続補正書】
【提出日】平成16年7月12日(2004.7.12)
【手続補正１】
【補正対象書類名】明細書
【補正対象項目名】特許請求の範囲
【補正方法】変更
【補正の内容】
【特許請求の範囲】
【請求項１】
洗面化粧台の上部に、主鏡および左右の袖鏡からなる三面鏡を配設した化粧鏡ユニットにおいて、化粧鏡ユニット本体の主鏡寄りの部分にフレームが回動角度に節度を持ちつつ、水平方向に回動自在に取り付けられ、前記フレームの外側端に前記袖鏡が水平方向に回動自在に取り付けられ、左右の袖鏡は化粧鏡ユニットの前方中央部の位置でそれぞれの側端部が隣接され、以って主鏡の前方で左右の袖鏡を合わせた状態で使用者に向かってせり出して使用する際に、前記袖鏡の裏面で主鏡を傷つけないように、必要以上に袖鏡を主鏡側に移動することを抑制できるよう回動角度に節度を持たせたことを特徴とする化粧鏡ユニット。
【請求項２】
キャビネット本体の前面略中央部に設けられた主鏡と、この主鏡の左右に配設された袖鏡と、この袖鏡で覆われる収納部と、を備えた化粧鏡ユニットにおいて、前記収納部の前面の主鏡寄りの部分にフレームが回動角度に節度を持ちつつ、水平方向に回動自在に取り付けられ、前記フレームの外側端に前記袖鏡が水平方向に回動自在に取り付けられ、左右の袖鏡は化粧鏡ユニットの前方中央部の位置でそれぞれの側端部が隣接され、以って主鏡の前方で左右の袖鏡を合わせた状態で使用者に向かってせり出して使用する際に前記袖鏡の裏面で主鏡を傷つけないように、必要以上に袖鏡を主鏡側に移動することを抑制できるよう回動角度に節度を持たせたことを特徴とする化粧鏡ユニット。
【請求項３】
請求項２に記載の化粧鏡ユニットにおいて、前記主鏡が回動することを特徴とする化粧鏡ユニット。
【請求項４】
請求項１乃至３のいずれかに記載の化粧鏡ユニットにおいて、
前記袖鏡の幅寸法は主鏡の１／２〜２／３であることを特徴とする化粧鏡ユニット。
【請求項５】
請求項１乃至４のいずれかに記載の化粧鏡ユニットにおいて、前記フレームの縦メンバーが袖鏡の回動中心寄りの端部に設けられていることを特徴とする化粧鏡ユニット。
【請求項６】
請求項５に記載の化粧鏡ユニットにおいて、前記フレームは前記縦メンバーと上下の横メンバーからなるコ字状をなすことを特徴とする化粧鏡ユニット。
【請求項７】
請求項１乃至３のいずれかに記載の化粧鏡ユニットにおいて、前記フレームをキャビネット本体に回動自在に取り付ける蝶番の回動軸を平面視で閉じ状態の袖鏡と重なる位置かそれよりも前方に位置せしめたことを特徴とする化粧鏡ユニット。
【請求項８】
請求項１乃至３のいずれかに記載の化粧鏡ユニットにおいて、前記フレームと前記袖鏡とを固定する袖鏡側蝶番の一方の台座を、前記フレームの裏側に固定するとともに、該袖鏡側蝶番の他方の台座を前記袖鏡の裏側に固定したことを特徴とする化粧鏡ユニット。
【請求項９】
請求項１乃至３のいずれかに記載の化粧鏡ユニットにおいて、前記フレームと前記袖鏡とを固定する袖鏡側蝶番の一方の台座を、前記フレームと一体に形成するとともに、前記フレームと前記化粧鏡ユニット本体とを固定する本体側蝶番の一方の台座を、前記フレームと一体に形成したことを特徴とする化粧鏡ユニット。
【請求項１０】
請求項１乃至３のいずれかに記載の化粧鏡ユニットにおいて、前記左右の袖鏡の主鏡寄りの端部には左右の袖鏡を連結するためのマグネット、面状ファスナーまたはフックなどの簡易連結部材が設けられていることを特徴とする化粧鏡ユニット。
【請求項１１】
請求項１乃至３のいずれかに記載の化粧鏡ユニットにおいて、前記袖鏡の裏面には前記フレームの厚みを利用した小物収納部を備えたことを特徴とする化粧鏡ユニット。
【手続補正２】
【補正対象書類名】明細書
【補正対象項目名】００１０
【補正方法】変更
【補正の内容】
【００１０】
【課題を解決するための手段】
上記課題を解決するため、本発明は、洗面化粧台の上部に、主鏡および左右の袖鏡からなる三面鏡を配設した化粧鏡ユニットにおいて、化粧鏡ユニット本体の主鏡寄りの部分にフレームが回動角度に節度を持ちつつ、水平方向に回動自在に取り付けられ、前記フレームの外側端に前記袖鏡が水平方向に回動自在に取り付けられ、左右の袖鏡は化粧鏡ユニットの前方中央部の位置でそれぞれの側端部が隣接され、以って主鏡の前方で左右の袖鏡を合わせた状態で使用者に向かってせり出して使用する際に、前記袖鏡の裏面で主鏡を傷つけないように、必要以上に袖鏡を主鏡側に移動することを抑制できるよう回動角度に節度を持たせた構成とした。
また本発明は、キャビネット本体の前面略中央部に主鏡が設けられ、この主鏡の少なくとも一側のキャビネットに収納部が設けられ、この収納部を袖鏡で覆うようにした化粧鏡ユニットにおいて、前記収納部の前面の主鏡寄りの部分にフレームが水平方向に回動自在に取り付けられ、このフレームの外側端に前記袖鏡が水平方向に回動自在に取り付けられた構成とした。
上記構成とすることで、使用者の姿勢をそのままにして、袖鏡を使用者の正面の真近な位置にもってくることができる。
【手続補正３】
【補正対象書類名】明細書
【補正対象項目名】００２１
【補正方法】変更
【補正の内容】
【００２１】
キャビネット本体３の内部に形成された収納部４は、縦割り分割された左右の収納凹部７、７を備えており、中央の収納部は主鏡１１が開閉戸の役目をなし、左右の収納凹部７には、取り外し可能な棚トレイ８が複数段設けられている。
【手続補正４】
【補正対象書類名】明細書
【補正対象項目名】００３６
【補正方法】削除
【補正の内容】
【手続補正５】
【補正対象書類名】明細書
【補正対象項目名】００３７
【補正方法】変更
【補正の内容】
【００３７】
【発明の効果】
本発明によれば、フレームの回動角度に節度をもたせることで、必要以上に袖鏡を主鏡側に移動することを抑制でき、袖鏡裏面で主鏡を傷つけたりしないようにしているため、使用者は安心して袖鏡を主鏡前方にせり出すことができ、また袖鏡を前方へ開いた状態で化粧鏡ユニットの前方略中央部に位置せしめることができ、洗面化粧台の中央部で鏡を広く使用することができる。
【手続補正６】
【補正対象書類名】図面
【補正対象項目名】図２
【補正方法】変更
【補正の内容】
【図２】
2004000518.tif 000001
【手続補正７】
【補正対象書類名】図面
【補正対象項目名】図４
【補正方法】変更
【補正の内容】
【図４】
2004000518.tif 000002
【手続補正書】
【提出日】平成17年2月3日(2005.2.3)
【手続補正１】
【補正対象書類名】明細書
【補正対象項目名】００２９
【補正方法】変更
【補正の内容】
【００２９】
図４から、含有リンの除去処理に対しては、pH３．５〜７の範囲が適しており、pH４〜６の範囲がより適していることが分かる。また、図５から、10mg-P/lのリン含有原水に対して、目標リン除去量を設定したとすれば、その目標値をクリアーするにはどの程度以上の除去剤を添加すればよいのかが分かる。とくに、図５において特性が直線状となる領域では、必要最小限の添加量を効率よく設定できることが分かる。
【手続補正書】
【提出日】平成16年9月22日(2004.9.22)
【手続補正１】
【補正対象書類名】明細書
【補正対象項目名】００３４
【補正方法】変更
【補正の内容】
【００３４】
得られた試料について、窒素ガス流通下に700℃で5時間の熱処理を行った後、上記と同様の硝酸銀水溶液含浸担持法(ただし、20重量％硝酸銀水溶液を使用)およびPd担持操作を適用し、それぞれAg担持量0.7mg(1.1g/m2支持体)およびPd担持量1.4mg(2.2g/m2支持体)のAgおよびPdをさらに担持させ、窒素ガス流通下に700℃で5時間の熱処理を行った。
【手続補正２】
【補正対象書類名】明細書
【補正対象項目名】００３７
【補正方法】変更
【補正の内容】
【００３７】
得られた試料について、アルゴンガス流通下に700℃で5時間の熱処理を行った後、上記と同様のPd担持操作および硝酸銀水溶液含浸担持法(ただし、20重量％硝酸銀水溶液を使用；60℃、10分間)を適用し、それぞれPd担持量1.4mg(2.2g/m2支持体)およびAg担持量0.4mg(0.6g/m2支持体)のPdおよびAgをさらに担持させ、窒素アルゴンガス流通下に700℃で5時間の熱処理を行った。
【手続補正３】
【補正対象書類名】明細書
【補正対象項目名】００４０
【補正方法】変更
【補正の内容】
【００４０】
この試料を水洗し、室温で12時間乾燥させた後、アルゴンガス流通下に700℃で10分間の熱処理を行った。この場合には、銀鏡反応により担持されたAg粒子径が含浸担持法の場合よりも小さくなるため、合金化時間は著しく短縮される。これら一連の操作を2回くり返して行った。このときの支持体多孔質部分へのPdの担持量は、操作1回目で9.9mg(15.8g/m2支持体)、2回目で1.4mg(2.2g/m2支持体)であり、またAgの担持量は、操作1回目で2.0mg(3.2g/m2支持体)、2回目で0.5mg(0.8g/m2支持体)であった。
【手続補正４】
【補正対象書類名】明細書
【補正対象項目名】００４３
【補正方法】変更
【補正の内容】
【００４３】
この試料を3等分し、アルゴン流通下に700℃、800℃または900℃でそれぞれ5時間熱処理を行ない、これらについてX線回折測定を行ったところ、700℃と800℃で熱処理したものでは、Pd-Ag合金の回折ピーク以外にPdの回折ピークが観察され、合金化が完了していなかった。一方、900℃で熱処理したものは、PdおよびAgの回折ピークは確認されず、1種類のPd-Ag合金の回折ピークのみが観察され、合金化が完了していることが確認された。
【手続補正書】
【提出日】平成16年3月16日(2004.3.16)
【手続補正１】
【補正対象書類名】特許請求の範囲
【補正対象項目名】請求項１
【補正方法】変更
【補正の内容】
【請求項１】
歯の外側面に接触する唇側線のワイヤーと、歯の内側面に適合する凹凸と両側クラスプ間架橋を備えたところの補強ワイヤーが埋め込まれた外形辺縁から４〜５ｍｍだけ残して大部をくりぬいた形をとる口蓋辺縁レジン床とから成り、唇側のＣクラスプから延長された前記の補強ワイヤー、口蓋後縁を横切る前記架橋ワイヤー、歯列歯頚部付近に沿わせた前記の唇側線のワイヤーは互いにろう着され、かつ、所定の前記辺縁レジン床の内部に埋め込みされ、該歯列側のレジン辺縁は前歯部が歯頚部、臼歯部が歯冠豊隆部までとしてレジン厚を最小限にした上顎用歯科用リテーナーと、歯の外側面に接触する唇側線のワイヤーと、歯の内側面に適合する凹凸を備えたところの補強ワイヤーが埋め込まれた外形辺縁から４〜５ｍｍだけ残して大部をくりぬいた形をとる口蓋辺縁レジン床とから成り、唇側のＣクラスプから延長された前記の補強ワイヤー、歯列歯頚部付近に沿わせた前記の唇側線のワイヤーは互いにろう着され、かつ、所定の前記辺縁レジン床の内部に埋め込みされ、該歯列側のレジン辺縁は前歯部が歯頚部、臼歯部が歯冠豊隆部までとしてレジン厚を最小限にした下顎用歯科用リテーナーとから成る歯科用リテーナー。
【手続補正２】
【補正対象書類名】明細書
【補正対象項目名】０００４
【補正方法】変更
【補正の内容】
【０００４】
すなわち、図１５〜１９において、符号２１ａに示すものは上顎歯用リテーナー、符号２１ｂに示すものは下顎歯用リテーナーである。上顎歯用リテーナー２１ａは、上顎歯３ａ、３ａ…の外側面５ａ、５ａ…に接触するワイヤー部２３ａの両端２５ａ、２５ａを上顎歯３ａ、３ａ…の内側に位置する略Ｕ状の金属製支持部２７ａに連結し、該金属製支持部２７ａには上顎歯３ａ、３ａ…の内側面７ａ、７ａ…に適合する凹凸２９ａ、２９ａ…を備えた合成樹脂部３１ａを固定し、該ワイヤー部２３ａと該合成樹脂部３１ａの凹凸２９ａ、２９ａ…との間の隙間部３３ａに上顎歯３ａ、３ａ…を挿嵌するようにしたものである。一方、下顎歯用リテーナー２１ｂは、下顎歯３ｂ、３ｂ…の外側面５ｂ、５ｂ…に接触するワイヤー部２３ｂの両端２５ｂ、２５ｂを下顎歯３ｂ、３ｂ…の内側に位置する略Ｕ状の金属製支持部２７ｂに連結し、該金属製支持部２７ｂには下顎歯３ｂ、３ｂ…の内側面７ｂ、７ｂ…に適合する凹凸２９ｂ、２９ｂ…を備えた合成樹脂部３１ｂを固定し、該ワイヤー部２３ｂと該合成樹脂部３１ｂの凹凸２９ｂ、２９ｂ…との間の隙間部３３ｂに下顎歯３ｂ、３ｂ…を挿嵌するようにしたものである。
【手続補正３】
【補正対象書類名】明細書
【補正対象項目名】０００５
【補正方法】変更
【補正の内容】
【０００５】
ワイヤー部２３ａ、２３ｂは一例としてコバルトクローム合金により形成する。金属製支持部２７ａ、２７ｂは例えばチタン合金、コバルトクローム合金、ＰＧＡ（白金合金）等により形成する。合成樹脂部３１ａ、３１ｂは例えばポリカーポネート、アクリル樹脂等の適度の柔軟性を備えた材料により形成する。
【手続補正４】
【補正対象書類名】明細書
【補正対象項目名】０００８
【補正方法】変更
【補正の内容】
【０００８】
前記上顎歯用リテーナー２１ａにおける合成樹脂部３１ａには一端３９′を金属製支持部２７ａに固定した金属製第三補強部材３９、３９を貫通させ、該金属製第三補強部材３９、３９における合成樹脂部３１ａから突出した他端３９′′をワイヤー部２３ａに固定している。
【手続補正５】
【補正対象書類名】明細書
【補正対象項目名】００１７
【補正方法】変更
【補正の内容】
【００１７】
上記目的を達成するために、本発明の上顎歯科用リテーナーは、歯の外側面に接触する唇側線のワイヤーと、歯の内側面に適合する凹凸と両側クラスプ間架橋を備えたところの補強ワイヤーが埋め込まれた外形辺縁から４〜５ｍｍだけ残して大部をくりぬいた形をとる口蓋辺縁レジン床とから成り、唇側のＣクラスプから延長された前記の補強ワイヤー、口蓋後縁を横切る前記架橋ワイヤー、歯列歯頚部付近に沿わせた前記の唇側線のワイヤーは互いにろう着され、かつ、所定の前記辺縁レジン床の内部に埋め込みされ、該歯列側のレジン辺縁は前歯部が歯頚部、臼歯部が歯冠豊隆部までとしてレジン厚を最小限にした。
【手続補正６】
【補正対象書類名】明細書
【補正対象項目名】００１８
【補正方法】変更
【補正の内容】
【００１８】
また、本発明の下顎用歯科用リテーナーは、歯の外側面に接触する唇側線のワイヤーと、歯の内側面に適合する凹凸を備えたところの補強ワイヤーが埋め込まれた外形辺縁から４〜５ｍｍだけ残して大部をくりぬいた形をとる口蓋辺縁レジン床とから成り、唇側のＣクラスプから延長された前記の補強ワイヤー、歯列歯頚部付近に沿わせた前記の唇側線のワイヤーは互いにろう着され、かつ、所定の前記辺縁レジン床の内部に埋め込みされ、該歯列側のレジン辺縁は前歯部が歯頚部、臼歯部が歯冠豊隆部までとしてレジン厚を最小限にした。
【手続補正７】
【補正対象書類名】明細書
【補正対象項目名】００２６
【補正方法】変更
【補正の内容】
【００２６】
歯列歯頚部付近に沿わせてワイヤー１０４は該Ｃクラスプ１００にろう着される。
【手続補正８】
【補正対象書類名】明細書
【補正対象項目名】００３０
【補正方法】変更
【補正の内容】
【００３０】
歯列歯頚部付近に沿わせたワイヤー１０８が該Ｃクラスプ１０５にろう着される。
【手続補正９】
【補正対象書類名】明細書
【補正対象項目名】００４９
【補正方法】変更
【補正の内容】
【００４９】
３ａ  ；  上顎歯
３ｂ  ；  下顎歯
５ａ  ；  上顎歯の外側面
５ｂ  ；  下顎歯の外側面
７ａ  ；  上顎歯の内側面
７ｂ  ；  下顎歯の内側面
２１ａ  ；  上顎歯用リテーナー
２１ｂ  ；  下顎歯用リテーナー
２３ａ，ｂ  ；  ワイヤー部
２５ａ，ｂ  ；  ワイヤー部の両端
２７ａ，ｂ  ；  金属支持部
２９ａ，ｂ  ；  凹凸
３１ａ，ｂ  ；  合成樹脂部
３３ａ，ｂ  ；  隙間部
３５  ；  金属製第一補強部材
３５′  ；  一端
３７  ；  金属製第二補強部材
３７′  ；  一端
３７′′  ；  他端
３９  ；  金属製第二補強部材
３９′  ；  一端
３９′′  ；  他端
１００  ；  Ｃクラスプ
１０１  ：  レジン床
１０２  ；  補強ワイヤー
１０３  ；  架橋ワイヤー
１０４  ；  ワイヤー
１０５  ；  Ｃクラスプ
１０６  ；  レジン床
１０７  ；  補強ワイヤー
１０８  ；  ワイヤー
１０９  ；  アダムスクラスプ
１１０  ；  二股Ｃクラスプ
１１１  ；  レジン
１１２、１１３  ；  切開部
１１４、１１５  ；  オメガループ
１１６  ；  補助弾線
１１７  ；  アダムスクラスプ
１１８  ；  レジン
１１９  ；  拡大ワイヤー